(57)【要約】【課題】ピン間の信号干渉を防止し、表示装置が具備するコネクタの数を減少させることができるピン構成とコネクタを有する表示装置を提供する。【解決手段】光を発生するバックライトと、光を受信して、画像を表示する表示パネルと、外部システムから駆動電源と制御信号を受信して、バックライトを駆動するバックライト駆動回路と、外部システムから駆動信号と画像信号を受信して、表示パネルを制御する表示パネル制御回路と、外部システムとバックライト駆動回路とを電気的に接続し、外部システムと表示パネル制御回路とを電気的に接続するコネクタとを有し、駆動電源、制御信号、駆動信号及び画像信号は、コネクタを介して伝達される。【選択図】図１
2009175655.tif 000002
【特許請求の範囲】
【請求項１】
光を発生するバックライトと、
前記光を受信して、画像を表示する表示パネルと、
外部システムから駆動電源と制御信号を受信して、前記バックライトを駆動するバックライト駆動回路と、
前記外部システムから駆動信号と画像信号を受信して、前記表示パネルを制御する表示パネル制御回路と、
前記外部システムとバックライト駆動回路とを電気的に接続し、前記外部システムと表示パネル制御回路とを電気的に接続するコネクタと、を有し、
前記駆動電源、制御信号、駆動信号及び画像信号は、前記コネクタを介して伝達されることを特徴とする表示装置。
【請求項２】
前記コネクタは、同一平面上に一方向に配列された複数のピンを含むことを特徴とする請求項１に記載の表示装置。
【請求項３】
前記ピンは、
前記駆動電源を伝達する駆動電源ピンと、
前記制御信号を伝達する制御信号ピンと、
前記駆動信号を伝達する駆動信号ピンと、
前記画像信号を伝達する画像信号ピンと、を含むことを特徴とする請求項２に記載の表示装置。
【請求項４】
前記駆動信号ピンは、
前記外部システムからグラウンド電圧を受信し、少なくとも一つが前記コネクタの最外郭に位置する複数のグラウンドピンと、
最外郭のグラウンドピンより内側に具備され、前記外部システムから前記表示装置を駆動するために必要な駆動電圧を受信する一つ以上の電圧ピンと、
前記表示装置に既保存された前記表示装置に対する基本情報を前記外部システムに提供するディスプレイ情報ピンと、を含むことを特徴とする請求項３に記載の表示装置。
【請求項５】
前記画像信号ピンは、前記一つ以上の電圧ピンと前記ディスプレイ情報ピンとの間に具備され、前記外部システムから前記画像信号を受信する複数のメインリンクピンを含むことを特徴とする請求項３に記載の表示装置。
【請求項６】
前記画像信号ピンは、前記メインリンクピンを補助するために前記メインリンクピンと一対一対応するように隣接して具備された複数の補助リンクピンをさらに含み、
一対のメインリンクピンと補助リンクピンに隣接して、前記グラウンドピンを一つずつ具備することを特徴とする請求項５に記載の表示装置。
【請求項７】
前記画像信号ピンは、互いに接して具備される一つ以上の余分のメインリンクピンと一つ以上の余分の補助リンクピンをさらに具備することを特徴とする請求項６に記載の表示装置。
【請求項８】
前記ディスプレイ情報ピンを補助するために前記ディスプレイ情報ピンの外側に具備された補助ディスプレイ情報ピンをさらに具備し、
前記補助ディスプレイ情報ピンの外側には、二つのグラウンドピンが具備されることを特徴とする請求項４に記載の表示装置。
【請求項９】
前記ディスプレイ情報ピンをイネーブルさせるための電圧を前記外部システムから受信するイネーブル電圧ピンをさらに含むことを特徴とする請求項８に記載の表示装置。
【請求項１０】
前記制御信号ピンは、前記ディスプレイ情報ピンに隣接して配置され、前記バックライトの輝度又はカラーを制御するための前記制御信号を前記外部システムから受信する一つ以上の制御ピンを含むことを特徴とする請求項３に記載の表示装置。
【請求項１１】
前記制御信号は、システムマネージメントバス（ＳＭ−ＢＵＳ）又はアイスクェアシー（Ｉ２Ｃ）インタフェースを介して供給されるデータ及びクロックを含むことを特徴とする請求項１０に記載の表示装置。
【請求項１２】
前記コネクタは、前記制御信号ピンと前記ディスプレイ情報ピンとの間に具備された二つのグラウンドピンをさらに具備することを特徴とする請求項１０に記載の表示装置。
【請求項１３】
前記駆動電源ピンは、
前記一つ以上の制御ピンより外側に具備され、前記バックライトに利用される正極性の駆動電圧を前記外部システムから受信する複数の正極性電圧ピンと、
前記一つ以上の制御ピンと前記複数の正極性電圧ピンとの間に具備され、前記バックライトに利用される負極性の駆動電圧を前記外部システムから受信する複数の負極性電圧ピンと、を含むことを特徴とする請求項１０に記載の表示装置。
【請求項１４】
外部システムから信号を受信して画像を表示する表示装置であって、
画像を表示する表示パネルと、
前記表示パネルに光を供給するバックライトと、
前記表示パネルの駆動を制御するための表示パネル制御回路と、
前記バックライトを駆動するためのバックライト駆動回路と、
前記外部システムと前記表示装置とを接続して、前記外部システムからの前記信号を前記表示装置に提供するコネクタと、を有し、
前記コネクタは、前記表示パネル制御回路と前記外部システムとを接続するディスプレイコネクティング部を含み、
前記ディスプレイコネクティング部は、
前記外部システムからグラウンド電圧を受信し、少なくとも一つが前記コネクタの最外郭に位置する複数のグラウンドピンと、
最外郭のグラウンドピンより内側に具備され、前記外部システムから前記表示装置を駆動するために必要な駆動電圧を受信する一つ以上の電圧ピンと、
前記表示装置に既保存された前記表示装置に対する基本情報を前記外部システムに提供するディスプレイ情報ピンと、
前記一つ以上の電圧ピンと前記ディスプレイ情報ピンとの間に具備され、前記外部システムから前記表示装置に画像を表示するために利用されるディスプレイ信号を受信する複数のメインリンクピンと、を含むことを特徴とする表示装置。
【請求項１５】
前記バックライト駆動回路と前記外部システムとを接続するバックライトコネクティング部をさらに含み、
前記バックライトコネクティング部は、
前記ディスプレイコネクティング部に隣接して配置され、前記バックライトの輝度又はカラーを制御するための制御信号を前記外部システムから受信する一つ以上の制御ピンと、
前記一つ以上の制御ピンより外側に具備され、前記バックライトに利用される正極性の駆動電圧を前記外部システムから受信する複数の正極性電圧ピンと、
前記一つ以上の制御ピンと前記複数の正極性電圧ピンとの間に具備され、前記バックライトに利用される負極性の駆動電圧を前記外部システムから受信する複数の負極性電圧ピンと、を含むことを特徴とする請求項１４に記載の表示装置。
【請求項１６】
前記バックライトは、レッド、グリーン及びブルー発光ダイオードが一つのパッケージとなる複数の光源を含むことを特徴とする請求項１５に記載の表示装置。
【請求項１７】
前記正極性駆動電圧は、７Ｖ〜２０Ｖの電圧レベルを有することを特徴とする請求項１６に記載の表示装置。
【請求項１８】
画像データ及びクロックが前記ディスプレイ信号として前記複数のメインリンクピンに供給され、
前記ディスプレイ情報ピンには、前記表示装置の基本情報に対応するデータ及びクロックが供給されることを特徴とする請求項１４に記載の表示装置。
【請求項１９】
前記メインリンクピンを補助するために前記メインリンクピンと一対一対応するように隣接して具備された複数の補助リンクピンをさらに含むことを特徴とする請求項１４に記載の表示装置。
【請求項２０】
一対のメインリンクピンと補助リンクピンに隣接して、前記グラウンドピンが一つずつ具備されることを特徴とする請求項１９に記載の表示装置。
【請求項２１】
互いに隣接して具備される一つ以上の余分のメインリンクピンと一つ以上の余分の補助リンクピンとをさらに具備することを特徴とする請求項１９に記載の表示装置。
【請求項２２】
前記ディスプレイ情報ピンを補助するために前記ディスプレイ情報ピンの外側に具備された補助ディスプレイ情報ピンをさらに具備し、
前記補助ディスプレイ情報ピンの外側には、二つのグラウンドピンが具備されることを特徴とする請求項１４に記載の表示装置。
【請求項２３】
前記ディスプレイ情報ピンをイネーブルさせるための電圧を前記外部システムから受信するイネーブル電圧ピンをさらに含むことを特徴とする請求項２２に記載の表示装置。
【発明の詳細な説明】
【技術分野】
【０００１】
本発明は、表示装置に関し、より詳細には、ピン間の信号干渉を防止できる表示装置に関する。
【背景技術】
【０００２】
一般に、液晶表示装置は、画像を表示するために、外部システムからビデオ信号を受信するための低電圧差動信号インタフェース（ＬＶＤＳ：Ｌｏｗ  Ｖｏｌｔａｇｅ  Ｄｉｆｆｅｒｅｎｃｉａｌ  Ｓｉｇｎａｌｉｎｇ）又はデジタルビジュアルインタフェース（ＤＶＩ：Ｄｉｇｉｔａｌ  Ｖｉｓｕａｌ  Ｉｎｔｅｒｆａｃｅ）方式を採用している。しかし、液晶表示装置の製造技術が発達し、使用者のニーズも増加することによって、液晶表示装置の解像度が増加している。
【０００３】
このように液晶表示装置の解像度は継続的に増加するが、現在使用しているインタフェース方式が支援する帯域幅には限界があるので、最近、高解像度を支援できるインタフェース方式に対する開発が行われている。高解像度を支援するインタフェースの一例としてディスプレイポートインタフェースがある。
【０００４】
近年、ノートパソコンの内部にはＬＶＤＳインタフェース方式が使用されており、外部にはＤＶＩ技術が使用されている。上記のディスプレイポートインタフェースは、既存の内部インタフェース標準である「ＬＶＤＳ」と外部接続標準である「ＤＶＩ」を統合して一つに接続できる方式である。したがって、ディスプレイポートインタフェースは、チップとチップの間を接続する内部接続はもちろん、製品と製品の間を接続する外部接続まで全てデジタル方式で可能な技術である。二つに分けられていたインタフェースを一つに統合することで、データ帯域幅を広げて、色相の深みと解像度をさらにリアルに表現することができる。
【０００５】
また、ディスプレイポートインタフェースは、既存ＤＶＩ（最大４．９５Ｇｂｐｓ）の２倍以上の最大１０．８Ｇｂｐｓの帯域幅を有し、マイクロパケット（Ｍｉｃｒｏ−Ｐａｃｋｅｔ）アーキテクチャーで多重ストリームを支援して、コネクタ一つの接続で最大１０８０ｉストリーム６個（１０８０ｐ３個）を同時に伝達することができる。また１Ｍｂｐｓ帯域幅の両方向補助チャネルを搭載して、別途のインタフェースなしに画像チャット・インターネット電話（ＶｏＩＰ）などのアプリケーションを一緒に支援することができる。
【発明の開示】
【発明が解決しようとする課題】
【０００６】
そこで、本発明は上記従来の表示装置における問題点に鑑みてなされたものであって、本発明の目的はピン間の信号干渉を防止し、表示装置が具備するコネクタの数を減少させることができるピン構成とコネクタを有する表示装置を提供することにある。
【課題を解決するための手段】
【０００７】
上記目的を達成するためになされた本発明による表示装置は、光を発生するバックライトと、前記光を受信して、画像を表示する表示パネルと、外部システムから駆動電源と制御信号を受信して、前記バックライトを駆動するバックライト駆動回路と、前記外部システムから駆動信号と画像信号を受信して、前記表示パネルを制御する表示パネル制御回路と、前記外部システムとバックライト駆動回路とを電気的に接続し、前記外部システムと表示パネル制御回路とを電気的に接続するコネクタと、を有し、前記駆動電源、制御信号、駆動信号及び画像信号は、前記コネクタを介して伝達され、前記コネクタは、同一平面上に一方向に配列された複数のピンを含むことを特徴とする。
【０００８】
前記ピンは、前記駆動電源を伝達する駆動電源ピンと、前記制御信号を伝達する制御信号ピンと、前記駆動信号を伝達する駆動信号ピンと、前記画像信号を伝達する画像信号ピンと、を含むことが好ましい。
【０００９】
また、上記目的を達成するためになされた本発明による表示装置は、外部システムから信号を受信して画像を表示する表示装置であって、画像を表示する表示パネルと、前記表示パネルに光を供給するバックライトと、前記表示パネルの駆動を制御するための表示パネル制御回路と、前記バックライトを駆動するためのバックライト駆動回路と、前記外部システムと前記表示装置とを接続して、前記外部システムからの前記信号を前記表示装置に提供するコネクタと、を有することを特徴とする。
【００１０】
前記ディスプレイコネクティング部は、前記外部システムからグラウンド電圧を受信し、少なくとも一つが前記コネクタの最外郭に位置する複数のグラウンドピンと、最外郭のグラウンドピンより内側に具備され、前記外部システムから前記表示装置を駆動するために必要な駆動電圧を受信する一つ以上の電圧ピンと、前記表示装置に既保存された前記表示装置に対する基本情報を前記外部システムに提供するディスプレイ情報ピンと、前記一つ以上の電圧ピンと前記ディスプレイ情報ピンとの間に具備され、前記外部システムから前記表示装置に画像を表示するために利用されるディスプレイ信号を受信する複数のメインリンクピンと、を含むことが好ましい。
【００１１】
また、上記目的を達成するためになされた本発明による表示装置は、前記バックライト駆動回路と前記外部システムとを接続するバックライトコネクティング部をさらに含み、前記バックライトコネクティング部は、前記ディスプレイコネクティング部に隣接して配置され、前記バックライトの輝度又はカラーを制御するための制御信号を前記外部システムから受信する一つ以上の制御ピンと、前記一つ以上の制御ピンより外側に具備され、前記バックライトに利用される正極性の駆動電圧を前記外部システムから受信す複数の正極性電圧ピンと、前記一つ以上の制御ピンと前記複数の正極性電圧ピンとの間に具備され、前記バックライトに利用される負極性の駆動電圧を前記外部システムから受信する複数の負極性電圧ピンと、を含むことが好ましい。
【発明の効果】
【００１２】
本発明の表示装置によれば、グラウンドピン、電圧ピン、メインリンクピン、ディスプレイ情報ピンの順番で前記コネクタのピンが配列されることで、ピン間の信号干渉を減少させることができる。
【００１３】
また、前記コネクタに、バックライト制御回路に提供される信号を伝送するためのピンをさらに具備することで、表示装置からバックライト用コネクタを除去でき、その結果、表示装置が具備するコネクタの数を減少することができる。
【発明を実施するための最良の形態】
【００１４】
次に本発明に係る表示装置を実施するための最良の形態の具体例を、図面を参照しながら説明する。
図１は、本発明の一実施形態によるコネクタを示す平面図である。
図１を参照すれば、外部システムと表示装置とを接続するコネクタ１００は、前記表示装置に具備される表示パネルを駆動するために必要な信号を前記外部システムから受信するディスプレイコネクティング部ＤＰを含む。一例として、本発明によるコネクタ１００は、ディスプレイポートインタフェース方式を適用したディスプレイポートコネクタであり得る。
【００１５】
従来の低電圧差動信号（ＬＶＤＳ：Ｌｏｗ  Ｖｏｌｔａｇｅ  Ｄｉｆｆｅｒｅｎｔｉａｌ  Ｓｉｇｎａｌｌｉｎｇ）インタフェース方式及びデジタルビジュアルインタフェース（ＤＶＩ：Ｄｉｇｉｔａｌ  Ｖｉｓｕａｌ  Ｉｎｔｅｒｆａｃｅ）方式では、画像データが伝送されるピンとクロックが伝送されるピンとが別々に具備されるが、ディスプレイポートインタフェース方式は、画像データとクロックを一つのピンを介して伝送でき、従来のインタフェース方式に比べてコネクタのピン数を節減できる長所を有する。
【００１６】
本発明の一例として、コネクタ１００のディスプレイコネクティング部ＤＰは、２０個のピンからなる。具体的に、ディスプレイコネクティング部ＤＰは、最外郭グラウンドピンＧＮＤ、第１〜第６グラウンドピンＨ＿ＧＮＤ１、Ｈ＿ＧＮＤ２、Ｈ＿ＧＮＤ３、Ｈ＿ＧＮＤ４、Ｈ＿ＧＮＤ５、Ｈ＿ＧＮＤ６を含む。
【００１７】
最外郭グラウンドピンＧＮＤは、コネクタ１００の両端部のうち何れか一つに隣接してコネクタ１００の最外郭に位置し、外部システムから最外郭グラウンドピンＧＮＤを介してグラウンド電圧が入力される。本発明の一例として、最外郭グラウンドピンＧＮＤは、２０個のピンのうち１番ピンに対応する。
【００１８】
第１〜第４グラウンドピンＨ＿ＧＮＤ１〜Ｈ＿ＧＮＤ４は、各々コネクタ１００の中間に位置して、隣接するピンに提供される信号の干渉を防止する。本発明の一例として、第１〜第４グラウンドピンＨ＿ＧＮＤ１〜Ｈ＿ＧＮＤ４は、各々７番、１０番、１３番及び１６番ピンに対応する。第５及び第６グラウンドピンＨ＿ＧＮＤ５、Ｈ＿ＧＮＤ６は、最外郭グラウンドピンＧＮＤが具備された一端部と反対側の、コネクタ１００の他の一端部に具備される。したがって、第５及び第６グラウンドピンＨ＿ＧＮＤ５、Ｈ＿ＧＮＤ６は、１９番及び２０番ピンにそれぞれ対応する。
【００１９】
ディスプレイコネクティング部ＤＰは、最外郭グラウンドピンＧＮＤより内側に具備され、外部システムから表示装置を駆動するために必要な駆動電圧が入力される一つ以上の電圧ピンＶＤＤを含む。本発明の一例として、電圧ピンＶＤＤは２個からなり、各々２番及び３番ピンに対応する。電圧ピンＶＤＤに印加される駆動電圧は３．３Ｖの電圧レベルを有する。
【００２０】
ディスプレイコネクティング部ＤＰは、表示装置に対する基本情報（ＥＤＩＤ：Ｅｘｔｅｎｄｅｄ  Ｄｉｓｐｌａｙ  Ｉｄｅｎｔｉｆｉｃａｔｉｏｎ  Ｄａｔａ）を外部システムに提供するディスプレイ情報ピンＡＵＸ＿ＣＨ＋及び補助ディスプレイ情報を受信する補助ディスプレイ情報ピンＡＵＸ＿ＣＨ−を具備する。すなわち、表示装置に具備される内部メモリには、表示装置に対する基本情報（ＥＤＩＤ）が既に保存されており、ディスプレイポートコネクタ１００と外部システムとが接続されると、基本情報（ＥＤＩＤ）はディスプレイ情報ピンＡＵＸ＿ＣＨ＋を介して外部システムに提供される。
【００２１】
ディスプレイ情報ピンＡＵＸ＿ＣＨ＋と補助ディスプレイ情報ピンＡＵＸ＿ＣＨ−は、第５及び第６グラウンドピンＨ＿ＧＮＤ５、Ｈ＿ＧＮＤ６より内側に具備され、ディスプレイ情報ピンＡＵＸ＿ＣＨ＋は補助ディスプレイ情報ピンＡＵＸ＿ＣＨ−より内側に具備される。具体的に、ディスプレイ情報ピンＡＵＸ＿ＣＨ＋と補助ディスプレイ情報ピンＡＵＸ＿ＣＨ−はディスプレイポートコネクタ１００の１７番及び１８番ピンにそれぞれ対応する。
【００２２】
ディスプレイコネクティング部ＤＰは、ディスプレイ情報ピンＡＵＸ＿ＣＨ＋と補助ディスプレイ情報ピンＡＵＸ＿ＣＨ−をイネーブルさせるための電圧を外部システムから受信するイネーブル電圧ピンＡＵＸ＿ＰＷＲをさらに具備する。イネーブル電圧ピンＡＵＸ＿ＰＷＲには、駆動電圧と同一に３．３Ｖの電圧が印加される。本発明の一例として、イネーブル電圧ピンＡＵＸ＿ＰＷＲは、ディスプレイポートコネクタ１００の６番ピンに対応する。
【００２３】
ディスプレイ情報ピンＡＵＸ＿ＣＨ＋とイネーブル電圧ピンＡＵＸ＿ＰＷＲの間には、外部システムから表示装置に画像を表示するのに利用されるディスプレイ信号が入力される複数のメインリンクピンが具備される。
【００２４】
ここで、ディスプレイ信号は、表示装置が画像を表示するために必要な画像データ及びクロックを含む。すなわち、従来のＬＶＤＳ及びＤＶＩインタフェース方式では、画像データが伝送されるピンとクロックが伝送されるピンとが別々に具備されるが、ディスプレイポートインタフェース方式は、画像データとクロックをディスプレイ信号に圧縮した後、一つのピンを介して伝送する。また、ディスプレイポートインタフェース方式を利用すれば、ディスプレイ情報ピンＡＵＸ＿ＣＨ＋にもディスプレイ情報に対応するデータ及びクロックを含む信号が供給される。したがって、従来のインタフェース方式よりディスプレイポートインタフェース方式を採択した本発明によるコネクタ１００は、より少ない数のピンからなるようにすることができる。
【００２５】
本発明の一実施形態によるディスプレイコネクティング部ＤＰは、第１及び第２メインリンクピンＭＬ＿ＣＨ０＋、ＭＬ＿ＣＨ１＋を具備し、第１及び第２メインリンクピンＭＬ＿ＣＨ０＋、ＭＬ＿ＣＨ１＋と各々一対一対応するように隣接して具備された第１及び第２補助リンクピンＭＬ＿ＣＨ０−、ＭＬ＿ＣＨ１−をさらに具備する。本発明の一例として、第１及び第２メインリンクピンＭＬ＿ＣＨ０＋、ＭＬ＿ＣＨ１＋は、ディスプレイポートコネクタ１００の１５番及び１２番ピンに各々対応し、第１及び第２補助リンクピンＭＬ＿ＣＨ０−、ＭＬ＿ＣＨ１−は、コネクタ１００の１４番及び１１番ピンに各々対応する。
【００２６】
表示装置の解像度が高くなるほどディスプレイ信号を伝送するために必要なピン数が増加し得るので、ディスプレイコネクティング部ＤＰは余分のメインリンクピンｒｅｓｅｒｖｅｄ＋と余分の補助リンクピンｒｅｓｅｒｖｅｄ−をさらに具備することができる。本発明の一実施形態として、コネクタ１００は、８番及び９番ピンに余分の補助リンクピンｒｅｓｅｒｖｅｄ−と余分のメインリンクピンｒｅｓｅｒｖｅｄ＋を各々具備している。
【００２７】
図１に示すように、一対のメインリンクピンと補助リンクピンに隣接して、第１〜第４グラウンドピンＨ＿ＧＮＤ１〜Ｈ＿ＧＮＤ４が一つずつ具備されるので、信号間の干渉を防止することができる。
【００２８】
本発明の一例として、ディスプレイコネクティング部ＤＰは、余分に設けられたノーコネクティングピンＮ／Ｃとホットプラグイベントを感知するためのホットプラグ感知ピンＨＰＤをさらに含むことができる。
【００２９】
図２は、図１に示したコネクタを具備する表示装置を示す平面図である。
図２を参照すれば、表示装置２００は、画像を表示する表示パネル２１０、表示パネル２１０に光を供給するためのバックライト２２０、外部システム３００から各種信号を受信してバックライト２２０と表示パネル２１０を駆動するための駆動回路基板２３０、外部システム３００と駆動回路基板２３０とを接続するコネクタ１００とバックライト用コネクタ２４０とを含む。
【００３０】
表示パネル２１０は、複数の画素（図示せず）が具備され、画像を表示する表示領域ＤＡと表示領域ＤＡに隣接する周辺領域ＰＡとに区分される。周辺領域ＰＡには、複数の画素を駆動するためのデータ信号とゲート信号を各々出力するデータ駆動回路２１１とゲート駆動回路２１２が具備される。本発明の一例として、データ駆動回路２１１は、複数のチップからなり、表示パネル２１０上に実装され、ゲート駆動回路２１２は、薄膜工程により表示パネル２１０内に集積される。
【００３１】
バックライト２２０は、冷陰極蛍光ランプ又はホワイト発光ダイオードからなる光源を含む。光源は、表示パネル２１０の後面の一側に隣接して具備されることができる。バックライト２２０から出力された光は、表示パネル２１０側に提供された後、複数の画素により光透過度が調節されて出力される。したがって、表示パネル２１０上には、所望の画像が表示できる。
【００３２】
駆動回路基板２３０は、表示パネル２１０の駆動を制御するために、データ駆動回路２１１とゲート駆動回路２１２に各種制御信号を提供する表示パネル制御回路２３１及びバックライト２２０に具備された光源の動作を制御する駆動信号を提供するバックライト駆動回路２３２を具備する。
【００３３】
駆動回路基板２３０は、外部システム３００から表示パネル２１０を駆動するために必要な信号をディスプレイポートインタフェース方式で受信するためのコネクタ１００及び外部システム３００からバックライト２２０を駆動するために必要な信号を受信するためのバックライト用コネクタ２４０をさらに具備する。
【００３４】
コネクタ１００は、外部システム３００から受信した信号を表示パネル制御回路２３１側に印加し、バックライト用コネクタ２４０は、外部システム３００から受信した信号をバックライト駆動回路２３２側に印加する。
コネクタ１００は、ディスプレイポートインタフェース方式で外部システム３００から信号を受信し、図１に示すようなポート構成からなることで、コネクタ１００の全体的なピン数を減少させながら、信号間の干渉を減少させることができる。
【００３５】
図３は、本発明の他の実施形態によるコネクタを示す平面図であり、図４は、図３に示したコネクタを具備する表示装置を示す平面図である。但し、図３及び図４に示した構成要素のうち、図１及び図２に示した構成要素と同一の構成要素に対しては同一の参照符号を付与し、それに対する具体的な説明は省略する。
【００３６】
図３を参照すれば、本発明の他の実施形態によるコネクタ１０３は、表示装置に具備される表示パネルを駆動するために必要な信号を外部システムから受信するディスプレイコネクティング部ＤＰ及び表示装置に具備されるバックライトを駆動するための信号を外部システムから受信するバックライトコネクティング部ＢＰからなる。
【００３７】
ディスプレイコネクティング部ＤＰは、図１に示したコネクタ１００と同様な構成からなるので、本実施形態ではディスプレイコネクティング部ＤＰに対する説明は省略する。
【００３８】
一方、バックライトコネクティング部ＢＰは、一つ以上の制御ピン、複数の正極性電圧ピンＬＥＤ＋及び複数の負極性電圧ピンＬＥＤ−を含む。
一つ以上の制御ピンは、ディスプレイコネクティング部ＤＰに隣接して配置され、バックライトの輝度及びカラーを制御するための信号を外部システムから受信する。
【００３９】
本発明の一例として、一つ以上の制御ピンは、外部システムからアイスクェアシー（Ｉ２Ｃ）インタフェース方式又はシステムマネージメントバス（ＳＭ−ＢＵＳ）を介して信号を受信することができる。Ｉ２Ｃインタフェース方式又はＳＭ−ＢＵＳを使用する場合、バックライトコネクティング部ＢＰはデータラインとクロックラインを通してデータ信号とクロック信号を受信するので、一つ以上の制御ピンはデータピンとクロックピンを含むことができる。本発明の一例として、一つ以上の制御ピンがＩ２Ｃインタフェース方式で信号を受信する場合、一つ以上の制御ピンはＩ２ＣデータピンＩ２Ｃ＿ＤＡＴＡ及びＩ２ＣクロックピンＩ２Ｃ＿ＣＬＫを含む。Ｉ２ＣデータピンＩ２Ｃ＿ＤＡＴＡ及びＩ２ＣクロックピンＩ２Ｃ＿ＣＬＫは、コネクタ１０３の２２番及び２１番ピンに各々対応する。
【００４０】
複数の正極性電圧ピンＬＥＤ＋は、Ｉ２ＣデータピンＩ２Ｃ＿ＤＡＴＡ及びＩ２ＣクロックピンＩ２Ｃ＿ＣＬＫより外側に具備され、バックライトに利用される正極性の駆動電圧を外部システムから受信する。本発明の一例として、複数の正極性電圧ピンＬＥＤ＋は４個のピンからなり、各々２７番、２８番、２９番及び３０番ピンに対応する。正極性の駆動電圧は、７Ｖ〜２０Ｖの電圧レベルを有することができる。
【００４１】
複数の負極性電圧ピンＬＥＤ−は、Ｉ２ＣデータピンＩ２Ｃ＿ＤＡＴＡと複数の正極性電圧ピンＬＥＤ＋の間に具備され、バックライトに利用される負極性の駆動電圧を外部システムから受信する。本発明の一例として、複数の負極性電圧ピンＬＥＤ−は４個のピンからなり、各々２３番、２４番、２５番及び２６番ピンに対応する。
【００４２】
図４を参照すれば、表示装置２０３は、コネクタ１０３を介して外部システム３００と電気的に接続される。コネクタ１０３にはバックライトコネクティング部ＢＰがさらに具備されるので、表示装置２０３はコネクタ１０３だけで外部システム３００と接続されることができる。
【００４３】
表示装置２０３のバックライト２５０は、レッド、グリーン及びブルー発光ダイオードＲ、Ｇ、Ｂ  ＬＥＤが一つのパッケージとなる光源を具備する。ここで、バックライト駆動回路２３２は、レッド、グリーン及びブルー発光ダイオードＲ、Ｇ、Ｂ  ＬＥＤから出力される光の色座標を制御するために、コネクタ１０３のＩ２ＣデータピンＩ２Ｃ＿ＤＡＴＡ及びＩ２ＣクロックピンＩ２Ｃ＿ＣＬＫを介して外部システム３００から制御信号を受信する。また、バックライト駆動回路２３２は、レッド、グリーン及びブルー発光ダイオードＲ、Ｇ、Ｂ  ＬＥＤを駆動するために必要な電圧を複数の正極性電圧ピンＬＥＤ＋及び複数の負極性電圧ピンＬＥＤ−を介して外部システム３００から受信する。
【００４４】
このように、コネクタ１０３にディスプレイコネクティング部ＤＰとバックライトコネクティング部ＢＰが統合されることで、表示装置２０３は一つのコネクタ１０３を介して外部システム３００と接続され、その結果、コネクタ数を減少させることができる。また、相対的に高電圧を要求するバックライトコネクティング部ＢＰの正極性電圧ピンＬＥＤ＋がコネクタ１０３の最外郭に配置されることで、ディスプレイコネクティング部ＤＰに提供される信号との干渉を減少させることができる。
【００４５】
図５は、図４に示した表示装置を具備するポータブルコンピュータを示す斜視図である。
図５を参照すれば、ポータブルコンピュータ４００は、本体部４１０、本体部４１０に接続されたディスプレイ部４２０及び本体部４１０とディスプレイ部４２０とをを接続するヒンジ部４３０からなる。
本体部４１０は、四角プレート形状からなり、その内部には各種部品と基板が具備される。本体部４１０の上部には、入力装置であるキーボード４１１が具備される。本体部４１０の測面には、各種外部装置（図示せず）と接続されるための外部コネクタ４１２が具備される。外部コネクタ４１２は、ディスプレイポートインタフェース方式で信号を受信する。
【００４６】
ディスプレイ部４２０は、本体部４１０と、ヒンジ部４３０を介して接続されるので、ポータブルコンピュータ４００の開閉動作を行うことができる。また、ディスプレイ部４２０の内部には、図４に示した表示装置２０３が収納される。
【００４７】
図４に示すように、表示装置２０３は、外部システム（３００、図５の本体部４１０内に具備される）と電気的に接続されるためのコネクタ１０３を具備する。コネクタ１０３を介して、ディスプレイポートインタフェース方式により本体部４１０から各種信号が入力される。
【００４８】
このように、本体部４１０に装着された外部コネクタ４１２と表示装置２０３に具備されるコネクタ１０３とのインタフェース方式をディスプレイポートインタフェース方式に統一することができる。したがって、既存方式のモニタには、外部インタフェース標準であるＤＶＩ信号などを受信して内部インタフェース方式であるＬＶＤＳに変換するようにモニタボードが付着しているが、ディスプレイポート製品は、ＰＣとＬＣＤパネル間にインタフェース変換なしに一つのインタフェースで直接接続することができる。
【００４９】
尚、本発明は、上述の実施形態に限られるものではない。本発明の技術的範囲から逸脱しない範囲内で多様に変更実施することが可能である。
【図面の簡単な説明】
【００５０】
【図１】本発明の一実施形態によるディスプレイポートコネクタを示す平面図である。
【図２】図１に示したコネクタを具備する表示装置を示す平面図である。
【図３】本発明の他の実施形態によるディスプレイポートコネクタを示す平面図である。
【図４】図３に示したコネクタを具備する表示装置を示す平面図である。
【図５】図４に示した表示装置を具備するポータブルコンピュータを示す斜視図である。
【符号の説明】
【００５１】
１００、１０３ コネクタ
２００、２０３ 表示装置
２１０  表示パネル
２２０、２５０ バックライト
２３０  駆動回路基板
２４０  バックライト用コネクタ
３００  外部システム
４００  ポータブルコンピュータ
【図１】
2009175655.tif 000003
【図２】
2009175655.tif 000004
【図３】
2009175655.tif 000005
【図４】
2009175655.tif 000006
【図５】
2009175655.tif 000007